【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
光ビームを送信する送信望遠鏡において、光ビームを受信望遠鏡に送信するための手段、及び該受信望遠鏡における信号振幅の減少を示す信号に応答して、送信された光ビームをディザリングして、送信望遠鏡に対する角度を変え、前記受信望遠鏡の光学系の焦点面またはその付近に配置された受信光ファイバ上に入射する信号振幅を変更している手段を備える送信望遠鏡。
【請求項２】
光ビームをディザリングするための該手段が、光ビームを送信望遠鏡に伝送し、かつ該送信望遠鏡の光学系焦点面またはその付近で終端する送信望遠鏡光ファイバをパターン内でディザリングするための手段を備える請求項１に記載の送信望遠鏡。
【請求項３】
該パターンが可変半径の円である請求項２に記載の送信望遠鏡。
【請求項４】
該送信光ファイバの位相を示す時間変化信号を生成するための手段をさらに備える請求項２に記載の送信望遠鏡。
【請求項５】
該受信望遠鏡での受信信号電力の位相を示す時間変化信号に応答して、該送信光ファイバの位相と該受信信号電力の位相との比較に作用する手段をさらに備える請求項４に記載の送信望遠鏡。
【請求項６】
送信光ファイバをディザリングするための前記手段が、該送信光ファイバの位相と該受信信号電力の位相の比較から生成される信号に応答して該送信光ファイバを移動する請求項５に記載の送信望遠鏡。
【請求項７】
ディザリングするための手段が、該受信望遠鏡の該受信光ファイバで最大信号振幅が検出されるまで該送信光ビームをディザリングする請求項１に記載の送信望遠鏡。
【請求項８】
該受信望遠鏡によって受信された送信光ビームに関連付けられた少なくとも１つの測定可能な信号パラメータに応答して、受信光ファイバでの信号振幅の減少を示す信号が生成される請求項１に記載の送信望遠鏡。
【請求項９】
該測定可能な信号パラメータが信号電力である請求項８に記載の送信望遠鏡。
【請求項１０】
送信望遠鏡から光ビームを受信するための手段、及び受信信号振幅の減少を示す信号を生成するための手段であって、受信望遠鏡の光学系の焦点面またはその付近に配置される受信光ファイバに入射する信号の振幅を変更するように働く手段を備える受信望遠鏡。
【請求項１１】
ディザリングする受信ビームの位相と受信信号電力の位相の比較を示す信号を生成するための手段をさらに含む請求項１０に記載の受信望遠鏡。
【請求項１２】
送信望遠鏡から光ビームを受信するための手段、及び受信望遠鏡の光学系の焦点面またはその付近に配置される前記受信光ファイバをディザリングし、前記受信光ファイバに入射する信号の振幅を変更するための手段を備える受信望遠鏡。
【請求項１３】
ディザリングするための該手段がパターン内で該受信光ファイバをディザリングする請求項１２に記載の受信望遠鏡。
【請求項１４】
該パターンが半径可変の円である請求項１３に記載の受信望遠鏡。
【請求項１５】
該受信光ファイバの位相を示す時間変化信号を生成するための手段をさらに備える請求項１２に記載の受信望遠鏡。
【請求項１６】
該受信光ファイバの位相を該受信信号電力の位相と比較するための手段をさらに含む請求項１５に記載の受信望遠鏡。
【請求項１７】
受信光ファイバをディザリングするための前記手段が、該受信光ファイバの位相と該受信信号電力の位相の比較から生成される信号に応答して該受信光ファイバを移動する請求項１６に記載の受信望遠鏡。
【請求項１８】
ディザリングするための該手段が、該受信ファイバで最大信号振幅が検出されるまで該受信光ファイバをディザリングする請求項１２に記載の受信望遠鏡。
【請求項１９】
ディザリングするための該手段が、前記受信望遠鏡光ファイバの送信信号に関連付けられた少なくとも１つの測定可能な信号パラメータに応答して、前記受信光ファイバをディザリングする請求項１２に記載の受信望遠鏡。
【請求項２０】
該測定可能な信号パラメータが信号電力である請求項１９に記載の受信望遠鏡。
【請求項２１】
送信望遠鏡と受信望遠鏡を備える自由空間光通信システムにおける方法であって、該受信望遠鏡の光学系の焦点面またはその付近に配置された受信光ファイバにおける受信信号振幅の減少を示す信号に応答して、該送信望遠鏡から送信された光ビームをディザリングし、前記送信望遠鏡に対する角度を変え、前記受信光ファイバに入射する信号の振幅を変更するステップを含む方法。
【請求項２２】
該送信光ビームをディザリングするステップが、光ビームを該送信望遠鏡に伝送し、かつ該送信望遠鏡の光学系の焦点面またはその付近で終端する送信望遠鏡光ファイバをパターン内でディザリングするステップを含む請求項２１に記載の方法。
【請求項２３】
該パターンが半径可変の円を含む請求項２２に記載の方法。
【請求項２４】
該送信光ファイバの位相を示す時間変化信号を生成するステップをさらに含む請求項２２に記載の方法。
【請求項２５】
該受信望遠鏡での受信信号電力の位相を示す時間変化信号に応答して、該送信光ファイバの位相と該受信信号電力の位相を比較するステップをさらに含む請求項２４に記載の方法。
【請求項２６】
該送信光ファイバをディザリングするステップが、該送信光ファイバの位相と該受信信号電力の位相の比較から生成される信号に応答して該送信光ファイバを移動する請求項２５に記載の方法。
【請求項２７】
受信信号振幅の減少を示す信号が、該受信光ビームに関連付けられた少なくとも１つの測定可能な信号パラメータに応答して生成される請求項２１に記載の方法。
【請求項２８】
該測定可能な信号パラメータが信号電力である請求項２７に記載の方法。
【請求項２９】
受信望遠鏡の光学系の焦点面またはその付近に配置される前記受信光ファイバをディザリングし、前記受信光ファイバに入射する信号の振幅を変更するステップを含む自由空間光通信システムにおける方法。
【請求項３０】
該受信光ファイバがパターン内でディザリングされる請求項２９に記載の方法。
【請求項３１】
該パターンが半径可変の円である請求項３０に記載の方法。
【請求項３２】
該受信光ファイバの位相を示す時間変化信号を生成するステップをさらに含む請求項２９に記載の方法。
【請求項３３】
該受信光ファイバの位相と該受信信号電力の位相を比較するステップをさらに含む請求項３２に記載の方法。
【請求項３４】
該受信光ファイバをディザリングするステップが、該受信光ファイバの位相と該受信信号電力の位相の比較から生成された信号に応答して該受信光ファイバを移動する請求項３３に記載の方法。
【請求項３５】
該受信望遠鏡光ファイバが、そのファイバで最大信号振幅が検出されるまでディザリングされる請求項２９に記載の方法。
【請求項３６】
該受信光ファイバが、前記光ファイバで送信される信号に関連付けられた少なくとも１つの測定可能な信号パラメータに応答してディザリングされる請求項２９に記載の方法。
【請求項３７】
該測定可能な信号パラメータが信号電力である請求項３６に記載の方法。
【請求項３８】
送信望遠鏡と受信望遠鏡とを備える自由空間光通信システムにおける方法であって、該受信光ファイバでの受信信号振幅の減少を示す信号に応答して、該送信望遠鏡によって送信される送信光ビームと該受信望遠鏡の光学系の焦点面またはその付近に配置される受信光ファイバの両方をディザリングし、前記受信光ファイバに入射する信号の振幅を変更するステップを含む方法。
【請求項３９】
該送信光ビームをディザリングするステップが、該光ビームを該送信望遠鏡に伝送し、かつ該受信望遠鏡の光学系の焦点面またはその付近で終端する送信望遠鏡光ファイバをパターン内でディザリングするステップを含む請求項３８に記載の方法。
【請求項４０】
該パターンが半径可変の円である請求項３９に記載の方法。
【請求項４１】
該受信光ファイバをディザリングするステップがパターン内で前記受信光ファイバを移動するステップを含む請求項３８に記載の方法。
【請求項４２】
該パターンが半径可変の円である請求項４１に記載の方法。
【請求項４３】
該送信光ファイバが、該送信ビームの最大振幅が該受信望遠鏡上に入射するまでディザリングされ、該受信光ファイバが、前記受信光ファイバが該受信望遠鏡の焦点面上の最大受信電力点と一致するまでディザリングされる請求項３９に記載の方法。